(57)【要約】【課題】最適なチューブ組み合わせを行うことが出来る配管設定装置及び配管設定方法を提供する。【解決手段】施工時の系統別の配管長さを入力する入力手段１０と、配管を構成するチューブに関するチューブ長さや価格を配管品番とともにあらかじめ記憶したチューブデータ記憶手段３３と、選定した結果のチューブに関するデータを表示する表示手段４０とを備えた配管設定装置、及び、施工時に用いるチューブの組み合わせを、チューブデータ記憶手段３３に記憶しているチューブデータから処理手段２０を用いて算出する配管設定方法。【選択図】図１
2006022978.tif 000002
【特許請求の範囲】
【請求項１】
施工時の系統別の配管長さを入力する入力手段と、配管を構成するチューブに関するチューブ長さや価格をあらかじめ記憶したチューブデータ記憶手段とを備えた配管設定装置であって、
前記入力手段で入力された系統別配管長さを記憶する配管長さ記憶手段と、
前記配管長さ記憶手段に記憶した系統別配管長さを加算して配管総長さを算出する配管総長さ算出手段と、
前記配管総長さ算出手段で算出した配管総長さを記憶する配管総長さ記憶手段と、
前記配管総長さ記憶手段に記憶した配管総長さを満たすチューブの組み合わせを、前記チューブデータ記憶手段に記憶しているチューブデータから算出するチューブ組み合わせ算出手段と、
前記チューブ組み合わせ算出手段で算出されたチューブの組み合わせデータを記憶するチューブ組み合わせ記憶手段と、
前記チューブ組み合わせ記憶手段に記憶したチューブの組み合わせ毎に価格を算出する価格算出手段と、
前記価格算出手段で算出したチューブの組み合わせ毎の総価格を比較して、最適チューブの組み合わせを判定する価格判定手段と、
前記価格判定手段で決定した最適なチューブの組み合わせを記憶する最適チューブ組み合わせ記憶手段と、
前記最適チューブ組み合わせ記憶手段に記憶したチューブ長さと、前記配管長さ記憶手段に記憶した配管長さとを、それぞれ順に抽出して減算する減算手段と、
前記減算手段の結果を比較判定し、チューブ長さから配管長さを減算した結果の残りチューブ長さが所定長さ以下か否かを判定する比較判定手段と、
前記比較判定手段によって残りチューブが残存する場合には、残りチューブ長さが所定長さ以下であれば、残りチューブ長さをリセットして新たなチューブ長さを抽出し、残りチューブ長さが所定長さ以上であれば、新たに抽出するチューブ長さに残りチューブ長さを加算する演算結果処理手段と、
前記比較判定手段によって所定長さ以下と判定された残りチューブ長さを記憶する残りチューブ長さ記憶手段とを備え、
前記演算結果処理手段において、チューブ長さから配管長さを順に減算した結果、チューブ長さが不足する場合には、前記残りチューブ長さ記憶手段に記憶した総残りチューブ長さを配管総長さに加算して前記配管総長さ記憶手段に記憶し、前記チューブ組み合わせ算出手段では新たな配管総長さを用いて、前記チューブデータ記憶手段に記憶しているチューブデータから、配管総長さを満たすチューブの組み合わせを算出することを特徴とする配管設定装置。
【請求項２】
前記入力手段における入力が、表示された建物用見取り図に配管経路を作図することで行われることを特徴とする請求項１に記載の配管設定装置。
【請求項３】
データを表示する表示手段を備え、前記チューブデータ記憶手段にはチューブ品番を記憶し、選定した結果のチューブを品番とともに前記表示手段にて表示することを特徴とする請求項１に記載の配管設定装置。
【請求項４】
前記配管が換気システムにおける空調用ダクトであることを特徴とする請求項１に記載の配管設定装置。
【請求項５】
前記配管が冷暖房システムにおける冷媒配管又は温冷水配管であることを特徴とする請求項１に記載の配管設定装置。
【請求項６】
前記配管がガス管又は水道配管であることを特徴とする請求項１に記載の配管設定装置。
【請求項７】
施工時の系統別の配管長さを入力する入力手段と、配管を構成するチューブに関するチューブ長さや価格を品番とともにあらかじめ記憶したチューブデータ記憶手段とを備え、施工時に用いるチューブの組み合わせを、前記チューブデータ記憶手段に記憶しているチューブデータから処理手段を用いて算出する配管設定方法であって、
前記処理手段は、
前記入力手段で入力された系統別配管長さを配管長さ記憶手段に記憶するステップと、
前記配管長さ記憶手段に記憶した系統別配管長さを配管総長さ算出手段で算出するステップと、
前記配管総長さ算出手段で算出した配管総長さを配管総長さ記憶手段に記憶するステップと、
前記配管総長さ記憶手段に記憶した配管総長さと、前記チューブデータ記憶手段に記憶しているチューブデータとから、チューブ組み合わせ算出手段を用いてチューブの組み合わせを算出するステップと、
前記チューブ組み合わせ算出手段で算出されたチューブの組み合わせ毎に、価格算出手段で価格を算出するステップと、
前記価格算出手段で算出したチューブの組み合わせ毎の総価格を比較して、最適チューブの組み合わせを価格判定手段で判定するステップと、
前記価格判定手段で決定した最適なチューブの組み合わせを最適チューブ組み合わせ記憶手段に記憶するステップと、
前記最適チューブ組み合わせ記憶手段に記憶したチューブ長さと、前記配管長さ記憶手段に記憶した配管長さとを、寸法の長い順に抽出するステップと、
抽出したチューブ長さ（Ａ）が抽出した配管長さ（Ｂ）より長いか否かを比較判定手段で判断する第１の判定ステップと、
前記第１の判定ステップにて、抽出したチューブ長さ（Ａ）が抽出した配管長さ（Ｂ）より短いと判断した場合には、前記最適チューブ組み合わせ記憶手段に記憶したチューブで未抽出のチューブが存在するか否かを演算結果処理手段で判断する第１の判断ステップと、
前記第１の判断ステップにて、未抽出のチューブが存在すると判断した場合には、未抽出のチューブの中で最も長いチューブ長さを前記チューブ長さ（Ａ）に加算して前記第１の判定ステップを再度行うステップと、
前記第１の判定ステップにて、抽出したチューブ長さ（Ａ）が抽出した配管長さ（Ｂ）より長いと判断した場合には、チューブ長さ（Ａ）から配管長さ（Ｂ）を減算した長さが所定長さより長いか否かを前記比較判定手段で判断する第２の判定ステップと、
前記第２の判定ステップにて、チューブ長さ（Ａ）から配管長さ（Ｂ）を減算した長さが所定長さより短いと判断した場合には、減算した長さを残りチューブ長さ記憶手段に記憶し、前記最適チューブ組み合わせ記憶手段に記憶したチューブで未抽出のチューブが存在するか否かを演算結果処理手段で判断する第２の判断ステップと、
前記第２の判断ステップにて、未抽出のチューブが存在すると判断した場合には、未抽出のチューブの中で最も長いチューブ長さを前記チューブ長さ（Ａ）として前記第１の判定ステップを再度行うステップと、
前記第２の判定ステップにて、チューブ長さ（Ａ）から配管長さ（Ｂ）を減算した長さが所定長さより長いと判断した場合には、前記配管長さ記憶手段に記憶した配管で未抽出の配管が存在するか否かを前記演算結果処理手段で判断する第３の判断ステップと、
前記第３の判断ステップにて、未抽出の配管が存在すると判断した場合には、未抽出の配管の中で最も長い配管長さを前記配管長さ（Ｂ）とするとともに、前記第２の判定ステップにてチューブ長さ（Ａ）から配管長さ（Ｂ）を減算した長さをチューブ長さ（Ａ）として前記第１の判定ステップを再度行うステップと、
前記第３の判断ステップにて、未抽出の配管が存在しないと判断した場合には、配管計算を終了するステップとを備え、
前記第１の判断手段又は前記第２の判断手段にて、未抽出のチューブが存在しないと判断した場合には、前記残りチューブ長さ記憶手段に記憶した、残りチューブ長さの総長さを配管総長さに加算して新たな配管総長さとし、この新たな配管総長さを用いてチューブの組み合わせを算出するステップからの処理を新たに行うことを特徴とする配管設定方法。
【請求項８】
選定した結果のチューブを品番とともに表示手段にて表示するステップを備えたことを特徴とする請求項７に記載の配管設定装置。
【発明の詳細な説明】
【技術分野】
【０００１】
本発明は、空調用の換気プラン作成などにおける配管設定装置及び配管設定方法に関する。
【背景技術】
【０００２】
一般に、設計事務所、工務店、又は工事店などでは、換気システムを導入する施工物件の現場又は図面から、換気装置本体の設置場所と、換気口を設ける場所を決定し、換気装置本体から換気口までのダクト長さを見積もり、必要とするチューブをメーカに発注する。チューブは、例えば３０ｍ、２０ｍ、１０ｍのように、異なる複数の長さが準備されており、工務店では、見積もったダクトの総長さから、必要とするチューブの組み合わせを決定する。
【０００３】
一方、近年ではパーソナルコンピュータの普及によって、換気システムの換気量を自動計算して設計や施工を支援するソフトウエアも利用され始めている。
【０００４】
しかし、上記の先行技術は、文献公知発明に係るものではないため、記載すべき先行技術文献情報はない。
【発明の開示】
【発明が解決しようとする課題】
【０００５】
換気システムの設計や施工を支援するソフトウエアにあっては、ダクトなどの部品の決定や発注、更には見積もりなど、可能な限り全てを行えることが望まれている。
【０００６】
しかし、換気ダクトなどの配管に用いるチューブの組み合わせを決定するには、人が経験と勘によって予備長さを見積もっており、単に使用するダクトの総長さを満たすだけのチューブ組み合わせでは、実際の施工時にダクト長さが足りなくなり、再発注の必要が生じたり、不必要に余ってしまう問題がある。特に再発注の場合には、各種業者の施工スケジュールの変更が生じるため、多大な影響を与えてしまうという問題がある。
【０００７】
そこで、本発明は、最適なチューブ組み合わせを行うことが出来る配管設定装置及び配管設定方法を提供することを目的とする。
【課題を解決するための手段】
【０００８】
請求項１記載の本発明の配管設定装置は、施工時の系統別の配管長さを入力する入力手段と、配管を構成するチューブに関するチューブ長さや価格をあらかじめ記憶したチューブデータ記憶手段とを備えた配管設定装置であって、前記入力手段で入力された系統別配管長さを記憶する配管長さ記憶手段と、前記配管長さ記憶手段に記憶した系統別配管長さを加算して配管総長さを算出する配管総長さ算出手段と、前記配管総長さ算出手段で算出した配管総長さを記憶する配管総長さ記憶手段と、前記配管総長さ記憶手段に記憶した配管総長さを満たすチューブの組み合わせを、前記チューブデータ記憶手段に記憶しているチューブデータから算出するチューブ組み合わせ算出手段と、前記チューブ組み合わせ算出手段で算出されたチューブの組み合わせデータを記憶するチューブ組み合わせ記憶手段と、前記チューブ組み合わせ記憶手段に記憶したチューブの組み合わせ毎に価格を算出する価格算出手段と、前記価格算出手段で算出したチューブの組み合わせ毎の総価格を比較して、最適チューブの組み合わせを判定する価格判定手段と、前記価格判定手段で決定した最適なチューブの組み合わせを記憶する最適チューブ組み合わせ記憶手段と、前記最適チューブ組み合わせ記憶手段に記憶したチューブ長さと、前記配管長さ記憶手段に記憶した配管長さとを、それぞれ順に抽出して減算する減算手段と、前記減算手段の結果を比較判定し、チューブ長さから配管長さを減算した結果の残りチューブ長さが所定長さ以下か否かを判定する比較判定手段と、前記比較判定手段によって残りチューブが残存する場合には、残りチューブ長さが所定長さ以下であれば、残りチューブ長さをリセットして新たなチューブ長さを抽出し、残りチューブ長さが所定長さ以上であれば、新たに抽出するチューブ長さに残りチューブ長さを加算する演算結果処理手段と、前記比較判定手段によって所定長さ以下と判定された残りチューブ長さを記憶する残りチューブ長さ記憶手段とを備え、前記演算結果処理手段において、チューブ長さから配管長さを順に減算した結果、チューブ長さが不足する場合には、前記残りチューブ長さ記憶手段に記憶した総残りチューブ長さを配管総長さに加算して前記配管総長さ記憶手段に記憶し、前記チューブ組み合わせ算出手段では新たな配管総長さを用いて、前記チューブデータ記憶手段に記憶しているチューブデータから、配管総長さを満たすチューブの組み合わせを算出することを特徴とする。
【０００９】
請求項２記載の本発明は、請求項１に記載の配管設定装置において、前記入力手段における入力が、表示された建物用見取り図に配管経路を作図することで行われることを特徴とする。
【００１０】
請求項３記載の本発明は、請求項１に記載の配管設定装置において、データを表示する表示手段を備え、前記チューブデータ記憶手段にはチューブ品番を記憶し、選定した結果のチューブを品番とともに前記表示手段にて表示することを特徴とする。
【００１１】
請求項４記載の本発明は、請求項１に記載の配管設定装置において、前記配管が換気システムにおける空調用ダクトであることを特徴とする。
【００１２】
請求項５記載の本発明は、請求項１に記載の配管設定装置において、前記配管が冷暖房システムにおける冷媒配管又は温冷水配管であることを特徴とする。
【００１３】
請求項６記載の本発明は、請求項１に記載の配管設定装置において、前記配管がガス管又は水道配管であることを特徴とする。
【００１４】
請求項７記載の本発明の配管設定方法は、施工時の系統別の配管長さを入力する入力手段と、配管を構成するチューブに関するチューブ長さや価格を品番とともにあらかじめ記憶したチューブデータ記憶手段とを備え、施工時に用いるチューブの組み合わせを、前記チューブデータ記憶手段に記憶しているチューブデータから処理手段を用いて算出する配管設定方法であって、前記処理手段は、前記入力手段で入力された系統別配管長さを配管長さ記憶手段に記憶するステップと、前記配管長さ記憶手段に記憶した系統別配管長さを配管総長さ算出手段で算出するステップと、前記配管総長さ算出手段で算出した配管総長さを配管総長さ記憶手段に記憶するステップと、前記配管総長さ記憶手段に記憶した配管総長さと、前記チューブデータ記憶手段に記憶しているチューブデータとから、チューブ組み合わせ算出手段を用いてチューブの組み合わせを算出するステップと、前記チューブ組み合わせ算出手段で算出されたチューブの組み合わせ毎に、価格算出手段で価格を算出するステップと、前記価格算出手段で算出したチューブの組み合わせ毎の総価格を比較して、最適チューブの組み合わせを価格判定手段で判定するステップと、前記価格判定手段で決定した最適なチューブの組み合わせを最適チューブ組み合わせ記憶手段に記憶するステップと、前記最適チューブ組み合わせ記憶手段に記憶したチューブ長さと、前記配管長さ記憶手段に記憶した配管長さとを、寸法の長い順に抽出するステップと、抽出したチューブ長さ（Ａ）が抽出した配管長さ（Ｂ）より長いか否かを比較判定手段で判断する第１の判定ステップと、前記第１の判定ステップにて、抽出したチューブ長さ（Ａ）が抽出した配管長さ（Ｂ）より短いと判断した場合には、前記最適チューブ組み合わせ記憶手段に記憶したチューブで未抽出のチューブが存在するか否かを演算結果処理手段で判断する第１の判断ステップと、前記第１の判断ステップにて、未抽出のチューブが存在すると判断した場合には、未抽出のチューブの中で最も長いチューブ長さを前記チューブ長さ（Ａ）に加算して前記第１の判定ステップを再度行うステップと、前記第１の判定ステップにて、抽出したチューブ長さ（Ａ）が抽出した配管長さ（Ｂ）より長いと判断した場合には、チューブ長さ（Ａ）から配管長さ（Ｂ）を減算した長さが所定長さより長いか否かを前記比較判定手段で判断する第２の判定ステップと、前記第２の判定ステップにて、チューブ長さ（Ａ）から配管長さ（Ｂ）を減算した長さが所定長さより短いと判断した場合には、減算した長さを残りチューブ長さ記憶手段に記憶し、前記最適チューブ組み合わせ記憶手段に記憶したチューブで未抽出のチューブが存在するか否かを演算結果処理手段で判断する第２の判断ステップと、前記第２の判断ステップにて、未抽出のチューブが存在すると判断した場合には、未抽出のチューブの中で最も長いチューブ長さを前記チューブ長さ（Ａ）として前記第１の判定ステップを再度行うステップと、前記第２の判定ステップにて、チューブ長さ（Ａ）から配管長さ（Ｂ）を減算した長さが所定長さより長いと判断した場合には、前記配管長さ記憶手段に記憶した配管で未抽出の配管が存在するか否かを前記演算結果処理手段で判断する第３の判断ステップと、前記第３の判断ステップにて、未抽出の配管が存在すると判断した場合には、未抽出の配管の中で最も長い配管長さを前記配管長さ（Ｂ）とするとともに、前記第２の判定ステップにてチューブ長さ（Ａ）から配管長さ（Ｂ）を減算した長さをチューブ長さ（Ａ）として前記第１の判定ステップを再度行うステップと、前記第３の判断ステップにて、未抽出の配管が存在しないと判断した場合には、配管計算を終了するステップとを備え、前記第１の判断手段又は前記第２の判断手段にて、未抽出のチューブが存在しないと判断した場合には、前記残りチューブ長さ記憶手段に記憶した、残りチューブ長さの総長さを配管総長さに加算して新たな配管総長さとし、この新たな配管総長さを用いてチューブの組み合わせを算出するステップからの処理を新たに行うことを特徴とする。
【００１５】
請求項８記載の本発明は、請求項７に記載の配管設定方法において、選定した結果のチューブを品番とともに表示手段にて表示するステップを備えたことを特徴とする。
【発明の効果】
【００１６】
本発明によれば、現場において確実に施工が可能なチューブの組み合わせを算出することができる。
【発明を実施するための最良の形態】
【００１７】
本発明の第１の実施の形態による配管設定装置は、入力手段で入力された系統別配管長さを記憶する配管長さ記憶手段と、配管長さ記憶手段に記憶した系統別配管長さを加算して配管総長さを算出する配管総長さ算出手段と、配管総長さ算出手段で算出した配管総長さを記憶する配管総長さ記憶手段と、配管総長さ記憶手段に記憶した配管総長さを満たすチューブの組み合わせを、チューブデータ記憶手段に記憶しているチューブデータから算出するチューブ組み合わせ算出手段と、チューブ組み合わせ算出手段で算出されたチューブの組み合わせデータを記憶するチューブ組み合わせ記憶手段と、チューブ組み合わせ記憶手段に記憶したチューブの組み合わせ毎に価格を算出する価格算出手段と、価格算出手段で算出したチューブの組み合わせ毎の総価格を比較して、最適チューブの組み合わせを判定する価格判定手段と、価格判定手段で決定した最適なチューブの組み合わせを記憶する最適チューブ組み合わせ記憶手段と、最適チューブ組み合わせ記憶手段に記憶したチューブ長さと、配管長さ記憶手段に記憶した配管長さとを、それぞれ順に抽出して減算する減算手段と、減算手段の結果を比較判定し、チューブ長さから配管長さを減算した結果の残りチューブ長さが所定長さ以下か否かを判定する比較判定手段と、比較判定手段によって残りチューブが残存する場合には、残りチューブ長さが所定長さ以下であれば、残りチューブ長さをリセットして新たなチューブ長さを抽出し、残りチューブ長さが所定長さ以上であれば、新たに抽出するチューブ長さに残りチューブ長さを加算する演算結果処理手段と、比較判定手段によって所定長さ以下と判定された残りチューブ長さを記憶する残りチューブ長さ記憶手段とを備え、演算結果処理手段において、チューブ長さから配管長さを順に減算した結果、チューブ長さが不足する場合には、残りチューブ長さ記憶手段に記憶した総残りチューブ長さを配管総長さに加算して配管総長さ記憶手段に記憶し、チューブ組み合わせ算出手段では新たな配管総長さを用いて、チューブデータ記憶手段に記憶しているチューブデータから、配管総長さを満たすチューブの組み合わせを算出するものである。本実施の形態によれば、机上の計算上は施工可能な長さのチューブが準備されていても、実際の現場において切断した短いチューブ片を多数接続しなければならないといった、現実的に施工ができないようなチューブ組み合わせを行わず、現場において確実に施工が可能なチューブの組み合わせを算出することができる。
【００１８】
本発明の第２の実施の形態は、第１の実施の形態による配管設定装置において、入力手段における入力が、表示された建物用見取り図に配管経路を作図することで行われるものである。本実施の形態によれば、配管の実際の引き回しを考慮することができる。
【００１９】
本発明の第３の実施の形態は、第１の実施の形態による配管設定装置において、データを表示する表示手段を備え、チューブデータ記憶手段にはチューブ品番を記憶し、選定した結果のチューブを品番とともに表示手段にて表示するものである。本実施の形態によれば、チューブの注文書や見積書に利用することができる。
【００２０】
本発明の第４の実施の形態は、第１の実施の形態による配管設定装置において、配管が換気システムにおける空調用ダクトである。本実施の形態によれば、空調用ダクトの設定に利用することができる。
【００２１】
本発明の第５の実施の形態は、第１の実施の形態による配管設定装置において、配管が冷暖房システムにおける冷媒配管又は温冷水配管である。本実施の形態によれば、冷暖房用配管の設定に利用することができる。
【００２２】
本発明の第６の実施の形態は、第１の実施の形態による配管設定装置において、配管がガス管又は水道配管である。本実施の形態によれば、ガス管又は水道配管の設定に利用することができる。
【００２３】
本発明の第７の実施の形態による配管設定方法は、入力手段で入力された系統別配管長さを配管長さ記憶手段に記憶するステップと、配管長さ記憶手段に記憶した系統別配管長さを配管総長さ算出手段で算出するステップと、配管総長さ算出手段で算出した配管総長さを配管総長さ記憶手段に記憶するステップと、配管総長さ記憶手段に記憶した配管総長さと、チューブデータ記憶手段に記憶しているチューブデータとから、チューブ組み合わせ算出手段を用いてチューブの組み合わせを算出するステップと、チューブ組み合わせ算出手段で算出されたチューブの組み合わせ毎に、価格算出手段で価格を算出するステップと、価格算出手段で算出したチューブの組み合わせ毎の総価格を比較して、最適チューブの組み合わせを価格判定手段で判定するステップと、価格判定手段で決定した最適なチューブの組み合わせを最適チューブ組み合わせ記憶手段に記憶するステップと、最適チューブ組み合わせ記憶手段に記憶したチューブ長さと、配管長さ記憶手段に記憶した配管長さとを、寸法の長い順に抽出するステップと、抽出したチューブ長さ（Ａ）が抽出した配管長さ（Ｂ）より長いか否かを比較判定手段で判断する第１の判定ステップと、第１の判定ステップにて、抽出したチューブ長さ（Ａ）が抽出した配管長さ（Ｂ）より短いと判断した場合には、最適チューブ組み合わせ記憶手段に記憶したチューブで未抽出のチューブが存在するか否かを演算結果処理手段で判断する第１の判断ステップと、第１の判断ステップにて、未抽出のチューブが存在すると判断した場合には、未抽出のチューブの中で最も長いチューブ長さをチューブ長さ（Ａ）に加算して第１の判定ステップを再度行うステップと、第１の判定ステップにて、抽出したチューブ長さ（Ａ）が抽出した配管長さ（Ｂ）より長いと判断した場合には、チューブ長さ（Ａ）から配管長さ（Ｂ）を減算した長さが所定長さより長いか否かを比較判定手段で判断する第２の判定ステップと、第２の判定ステップにて、チューブ長さ（Ａ）から配管長さ（Ｂ）を減算した長さが所定長さより短いと判断した場合には、減算した長さを残りチューブ長さ記憶手段に記憶し、最適チューブ組み合わせ記憶手段に記憶したチューブで未抽出のチューブが存在するか否かを演算結果処理手段で判断する第２の判断ステップと、第２の判断ステップにて、未抽出のチューブが存在すると判断した場合には、未抽出のチューブの中で最も長いチューブ長さをチューブ長さ（Ａ）として第１の判定ステップを再度行うステップと、第２の判定ステップにて、チューブ長さ（Ａ）から配管長さ（Ｂ）を減算した長さが所定長さより長いと判断した場合には、配管長さ記憶手段に記憶した配管で未抽出の配管が存在するか否かを演算結果処理手段で判断する第３の判断ステップと、第３の判断ステップにて、未抽出の配管が存在すると判断した場合には、未抽出の配管の中で最も長い配管長さを配管長さ（Ｂ）とするとともに、第２の判定ステップにてチューブ長さ（Ａ）から配管長さ（Ｂ）を減算した長さをチューブ長さ（Ａ）として第１の判定ステップを再度行うステップと、第３の判断ステップにて、未抽出の配管が存在しないと判断した場合には、配管計算を終了するステップと処理手段が備え、第１の判断手段又は第２の判断手段にて、未抽出のチューブが存在しないと判断した場合には、残りチューブ長さ記憶手段に記憶した、残りチューブ長さの総長さを配管総長さに加算して新たな配管総長さとし、この新たな配管総長さを用いてチューブの組み合わせを算出するステップからの処理を新たに行うものである。本実施の形態によれば、机上の計算上は施工可能な長さのチューブが準備されていても、実際の現場において切断した短いチューブ片を多数接続しなければならないといった、現実的に施工ができないようなチューブ組み合わせを行わず、現場において確実に施工が可能なチューブの組み合わせを算出することができる。
【００２４】
本発明の第８の実施の形態は、第７の実施の形態による配管設定装置において、選定した結果のチューブを品番とともに表示手段にて表示するステップを備えたものである。本実施の形態によれば、チューブの注文や見積に利用することができる。
【実施例】
【００２５】
本発明の配管設定装置の一実施例として、換気システムにおける空調用ダクト設定装置について図面を参照しながら説明する。図１は、本実施例の空調用ダクト設定装置を機能実現手段で表したブロック図、図２は、同実施例の空調用ダクト設定装置の流れを表したフローチャート、図３は同実施例により設定されたチューブ品番の表示を示す構成図である。
【００２６】
まず、本実施例の空調用ダクト設定装置を実現するために必要な機能について説明する。
【００２７】
本実施例の空調用ダクト設定装置は、施工時の系統別のダクト長さ（配管長さ）を入力する入力手段１０と、コンピュータのＣＰＵで構成される処理手段２０と、ハードディスクやメモリなどで構成される記憶手段３０と、モニターやプリンターで構成される表示手段４０とからなる。
【００２８】
処理手段２０は、系統別ダクト長さを加算してダクト総長さを算出するダクト総長さ算出手段２１と、ダクト総長さを満たすチューブの組み合わせを、チューブデータから算出するチューブ組み合わせ算出手段２２と、チューブの組み合わせ毎に価格を算出する価格算出手段２３と、算出したチューブの組み合わせ毎の総価格を比較して、最適チューブの組み合わせを判定する価格判定手段２４と、最適チューブ組み合わせの中から寸法の長いチューブから順に長さデータを抽出するチューブ長さ抽出手段２５と、入力された系統別ダクト長さの中から寸法の長いダクトから順に長さデータを抽出するダクト長さ抽出手段２６と、チューブ長さ抽出手段２５で抽出したチューブ長さからダクト長さ抽出手段２６で抽出したダクト長さを減算する減算手段２７と、減算手段２７で減算した結果、残りチューブが残存するか否か、及びチューブ長さからダクト長さを減算した結果の残りチューブ長さが所定長さ以下か否かを判定する比較判定手段２８と、抽出したチューブ長さ（Ａ）が抽出したダクト長さ（Ｂ）より短いと判断した場合、及びチューブ長さ（Ａ）からダクト長さ（Ｂ）を減算した長さが所定長さより短いと判断した場合には、最適チューブ組み合わせとして記憶されたチューブの中で未抽出のチューブが存在するか否かを判断し、チューブ長さ（Ａ）からダクト長さ（Ｂ）を減算した長さが所定長さより長いと判断した場合には、未抽出のダクトが存在するか否かを判断する演算結果処理手段２９とを備えている。
【００２９】
記憶手段３０は、入力手段１０で入力された系統別ダクト長さを記憶するダクト長さ記憶手段３１と、ダクト総長さ算出手段２１で算出したダクト総長さを記憶するダクト総長さ記憶手段３２と、ダクトを構成するチューブに関するチューブ長さや価格を品番とともにあらかじめ記憶したチューブデータ記憶手段３３と、チューブ組み合わせ算出手段２２で算出されたチューブの組み合わせデータを記憶するチューブ組み合わせ記憶手段３４と、価格判定手段２４で決定した最適なチューブの組み合わせを記憶する最適チューブ組み合わせ記憶手段３５と、比較判定手段２８によって所定長さ以下と判定された残りチューブ長さを記憶する残りチューブ長さ記憶手段３６とを備えている。
【００３０】
なお、演算結果処理手段２９では、チューブ長さからダクト長さを順に減算した結果、チューブ長さが不足する場合には、ダクト総長さ算出手段２１において、残りチューブ長さ記憶手段３６に記憶した総残りチューブ長さをダクト総長さに加算してダクト総長さ記憶手段３２に記憶し、チューブ組み合わせ算出手段２２では新たなダクト総長さを用いてダクト総長さを満たすチューブの組み合わせを、チューブデータ記憶手段３３に記憶しているチューブデータから算出することで、系統別ダクトに用いるチューブ選定を再度行う。
【００３１】
次に、本実施例の空調用ダクト設定装置での処理の流れについて説明する。
【００３２】
まず、画面上に表示された建物用見取り図に、換気装置の設置場所とともに換気ダクトの経路を入力手段１０によって作図する（Ｓ１）。そして、この入力手段１０で入力された系統別ダクト長さを算出し（Ｓ２）、算出した系統別ダクト長さをダクト長さ記憶手段３１に記憶する。このダクト長さ記憶手段３１に記憶した系統別ダクト長さから、ダクト総長さをダクト総長さ算出手段２１で算出する（Ｓ３）。ダクト総長さ算出手段２１で算出したダクト総長さは、ダクト総長さ記憶手段３２に記憶される。
【００３３】
そしてステップ４において、ダクト総長さ記憶手段３２に記憶したダクト総長さと、チューブデータ記憶手段３３に記憶しているチューブデータとから、チューブ組み合わせ算出手段２２を用いてチューブの組み合わせを算出する。チューブ組み合わせ算出手段２２で算出されたチューブの組み合わせ毎に、価格算出手段２３で価格を算出し（Ｓ５）、チューブの組み合わせ毎の総価格を比較して、価格の最も安くなる最適チューブの組み合わせを価格判定手段２４で判定して抽出する（Ｓ６）。抽出された最適なチューブの組み合わせは、最適チューブ組み合わせ記憶手段３５に記憶される。
【００３４】
ステップ７において、最適チューブ組み合わせ記憶手段３５に記憶したチューブ組み合わせの中で最も長いチューブ長さ（Ａ）を抽出し、ステップ８において、ダクト長さ記憶手段３１に記憶したダクト長さの中で最も長いダクト長さ（Ｂ）を抽出する。このステップ７及びステップ８においては、その後、寸法の長い順にチューブ長さ（Ａ）及びダクト長さ（Ｂ）が抽出される。
【００３５】
ステップ９において、抽出したチューブ長さ（Ａ）が抽出したダクト長さ（Ｂ）より長いか否かを比較判定手段２８で判断する。
【００３６】
ステップ９における第１の判定ステップにて、抽出したチューブ長さ（Ａ）が、抽出したダクト長さ（Ｂ）より短いと判断した場合には、最適チューブ組み合わせ記憶手段３５に記憶したチューブで未抽出のチューブが存在するか否かを判断し（Ｓ１０）、このステップ１０における第１の判断ステップにて、未抽出のチューブが存在すると判断した場合には、未抽出のチューブの中で最も長いチューブ長さを、チューブ長さ（Ａ）に加算し（Ｓ１１）、ステップ９における第１の判定ステップを再度行う。
【００３７】
ステップ９における第１の判定ステップにて、抽出したチューブ長さ（Ａ）が抽出したダクト長さ（Ｂ）より長いと判断した場合には、チューブ長さ（Ａ）からダクト長さ（Ｂ）を減算した長さが所定長さ（Ｌ）より長いか否かを比較判定手段２８で判断する（Ｓ１２）。
【００３８】
ステップ１２における第２の判定ステップにて、チューブ長さ（Ａ）からダクト長さ（Ｂ）を減算した長さが所定長さより短いと判断した場合には、減算した長さを残りチューブ長さ記憶手段３６に記憶し（Ｓ１３）、ステップ１４において残りチューブ長さＣをリセットした後に、最適チューブ組み合わせ記憶手段３５に記憶したチューブで未抽出のチューブが存在するか否かを判断する（Ｓ１５）。
【００３９】
ステップ１５における第２の判断ステップにて、未抽出のチューブが存在すると判断した場合には、ステップ１７において未抽出のチューブの中で最も長いチューブ長さをチューブ長さ（Ａ）として、第１の判定ステップを再度行う（Ｓ９）。
【００４０】
ステップ１５における第２の判断ステップにて、未抽出のチューブが存在しないと判断した場合には、残りチューブ長さ記憶手段３６に記憶された残りチューブ長さＣの総長さを、ダクト総長さに加算して新たなダクト総長さとし（Ｓ１６）、この新たなダクト総長さを元に再度ステップ４におけるチューブ組み合わせを算出する（Ｓ４）。
【００４１】
なお、ステップ１０における第１の判断ステップにて、未抽出のチューブが存在しないと判断した場合においても、残りチューブ長さ記憶手段３６に記憶された残りチューブ長さＣの総長さを、ダクト総長さに加算して新たなダクト総長さとし（Ｓ１６）、この新たなダクト総長さを元に再度ステップ４におけるチューブ組み合わせを算出する（Ｓ４）。
【００４２】
ステップ１２における第２の判定ステップにて、チューブ長さ（Ａ）からダクト長さ（Ｂ）を減算した長さが所定長さより長いと判断した場合には、ダクト長さ記憶手段３１に記憶したダクトで未抽出のダクトが存在するか否かを判断する（Ｓ１８）。
【００４３】
ステップ１８における第３の判断ステップにて、未抽出のダクトが存在すると判断した場合には、未抽出のダクトの中で最も長いダクト長さをダクト長さ（Ｂ）とするとともに、ステップ１２における第２の判定ステップにてチューブ長さ（Ａ）からダクト長さ（Ｂ）を減算した長さをチューブ長さ（Ａ）とし（Ｓ２１）、ステップ９における第１の判定ステップを再度行う。
【００４４】
ステップ１８における第３の判断ステップにて、未抽出のダクトが存在しないと判断した場合には、ダクト計算を終了し（Ｓ１９）、決定したチューブ品番を図面に表示する（Ｓ２０）。
【００４５】
図３に、同実施例により設定されたチューブ品番の表示例を示す。
【００４６】
図３では、施工物件の見取り図とともに、施工物件における系統別ダクトの一覧表と、チューブの組み合わせ一覧表が表示されている。施工物件の見取り図には、換気装置とその配管の配置を図示するとともに、第１から第５のそれぞれのダクト系統（１）（２）（３）（４）（５）が表示される。また、系統別ダクトの一覧表には、使用すべきダクト種別の他に、それぞれのダクト長さが表示される。また、チューブの組み合わせ一覧表には、チューブ品番と、チューブの寸法、及び個数が表示される。
【００４７】
なお、図３においては、施工物件の見取り図とともに表示する場合を示しているが、その他見積書や発注書などにおいて表示される。
【００４８】
以上のように本実施例によれば、汎用のコンピュータを用いた設計施工支援システムなどの配管設定装置及びその設定方法として最適なチューブ組み合わせを行うことができる。
【産業上の利用可能性】
【００４９】
本発明の配管設定装置及びその設定方法は、換気システムにおける空調用ダクト設定装置及びその設定方法以外に、冷暖房システムにおける冷媒配管や温冷水配管、又はガス管や水道配管などの配管設定装置及びその設定方法として適用することができる。
【図面の簡単な説明】
【００５０】
【図１】本発明の一実施例の空調用ダクト設定装置を機能実現手段で表したブロック図
【図２】同実施例の空調用ダクト設定装置の流れを表したフローチャート
【図３】同実施例により設定されたチューブ品番の表示を示す構成図
【符号の説明】
【００５１】
１０  入力手段
２１  ダクト総長さ算出手段
２２  チューブ組み合わせ算出手段
２３  価格算出手段
２４  価格判定手段
２５  チューブ長さ抽出手段
２６  ダクト長さ抽出手段
２７  減算手段
２８  比較判定手段
２９  演算結果処理手段
３０  記憶手段
３１  ダクト長さ記憶手段
３２  ダクト総長さ記憶手段
３３  チューブデータ記憶手段
３４  チューブ組み合わせ記憶手段
３５  最適チューブ組み合わせ記憶手段
３６  残りチューブ長さ記憶手段
４０  表示手段
【図１】
2006022978.tif 000003
【図２】
2006022978.tif 000004
【図３】
2006022978.tif 000005